(57)【要約】      （修正有）【課題】溶接金網の連結構造において、隣接する各溶接金網の各線材の端部同士を連結部材により係合連結して一体化し、複数の溶接金網を連結した金網構成体全体の強度を向上するとともに、隣接する各溶接金網を簡単に連結させる。【解決手段】縦線材と横線材とを格子状に溶接して溶接金網を形成し、この溶接金網を複数連結して金網構成体を構成する溶接金網の連結構造において、隣接する各溶接金網の各線材の端部同士を係合連結する係合部が備えられた連結部材６を設けている。【選択図】図３
2005155132.tif 000002
【特許請求の範囲】
【請求項１】
縦線材と横線材とを格子状に溶接して溶接金網を形成し、この溶接金網を複数連結して金網構成体を構成する溶接金網の連結構造において、隣接する各溶接金網の各線材の端部同士を係合連結する係合部が備えられた連結部材を設けたことを特徴とする溶接金網の連結構造。
【請求項２】
前記隣接する各溶接金網の各線材の端部同士は、突き合わされた状態で前記連結部材の前記係合部により連結されたことを特徴とする請求項１に記載の溶接金網の連結構造。
【発明の詳細な説明】
【技術分野】
【０００１】
この発明は、溶接金網の連結構造に係り、特に複数の溶接金網を簡単で且つ堅固に連結する溶接金網の連結構造に関するものである。
【背景技術】
【０００２】
例えば、擁壁の壁面構造においては、丸鋼や異形棒鋼からなる鉄筋や、線材からなる溶接金網を複数連結して金網構成体としての壁面材を構成し、この壁面材をコンクリート内に埋設している。上述の溶接金網は、縦線材と横線材とを格子状に組み合わせて溶接することにより形成されている。
【０００３】
従来、溶接金網としては、網目ピッチ間隔で平面上に並べた長尺異形鉄筋の対向する長手面に、網目ピッチ間隔で短尺異形鉄筋の端面を、長尺異形鉄筋と同一平面上に溶接してなるものがある。
【特許文献１】特開平８−８２０４２号公報
【発明の開示】
【発明が解決しようとする課題】
【０００４】
ところが、従来、複数の溶接金網を連結して金網構成体を構成する場合に、各溶接金網を順次に並べて金網構成体を構成していただけので、金網構成体全体の強度が低くなるという不都合があった。特に、金網構成体を擁壁の壁面構造の壁面材として用いた場合に、各溶接金網の接合がなく、壁面材全体として強度が低く、盛土作業に伴って壁面材に局部変形が生じ、盛土工程の進捗と共に、壁面全体に変形が生ずる不都合があった。
【課題を解決するための手段】
【０００５】
この発明は、縦線材と横線材とを格子状に溶接して溶接金網を形成し、この溶接金網を複数連結して金網構成体を構成する溶接金網の連結構造において、隣接する各溶接金網の各線材の端部同士を係合連結する係合部が備えられた連結部材を設けたことを特徴とする。
【発明の効果】
【０００６】
この発明は、隣接する各溶接金網の各線材の端部同士を連結部材により係合連結して一体化するので、複数の溶接金網を連結した金網構成体全体の強度を向上することができるとともに、隣接する各溶接金網の連結を簡単に行わせることができる。
【発明を実施するための最良の形態】
【０００７】
この発明の溶接金網の連結構造は、複数の溶接金網を連結して構成した金網構成体全体の強度を向上することを、各溶接金網の各線材の端部同士を係合連結する連結部材によって実現するものである。
以下、図面に基づいてこの発明の実施例を詳細且つ具体的に説明する。
【実施例１】
【０００８】
図１〜図３は、この発明の第１実施例を示すものである。
【０００９】
図３において、２は例えば擁壁の壁面構造に用いられる壁面材である。この壁面材２は、複数の溶接金網４を連結部材６で連結した金網構成体として構成されるものである。図３においては、複数の溶接金網４として、隣接する上側の溶接金網４Ｕと下側の溶接金網４Ｌとを、例示する。
【００１０】
上側の溶接金網４Ｕは、上下方向に指向し且つ同一平面内に所定間隔Ａで並列した複数の例えば第１〜第５上側縦線材８−１Ｕ〜８−５Ｕと、この第１〜第５上側縦線材８−１Ｕ〜８−５Ｕの一側に横方向に指向し且つ互いに重ならないように所定間隔Ｂで並列した複数の例えば第１〜第３上側横線材１０−１Ｕ〜１０−３Ｕとを溶接し、二層構造で形成されている。この上側の溶接金網４Ｕは、この第１実施例においては、上下方向で、第１〜第５上側縦線材８−１Ｕ〜８−５Ｕの上端部１２−１Ｕ〜１２−５Ｕの各端面が同一の位置Ｐ１で、且つ、第１〜第５上側縦線材８−１Ｕ〜８−５Ｕの下端部１４−１Ｕ〜１４−５Ｕの各端面が同一の位置Ｐ２である。
【００１１】
また、下側の溶接金網４Ｌは、上側の溶接金網４Ｕと同様に形成され、上下方向に指向し且つ同一平面内に所定間隔Ａで並列した複数の第１〜第４下側縦線材８−１Ｌ〜８−５Ｌと、この第１〜第５下側縦線材８−１Ｌ〜８−５Ｌの一側に横方向に指向し且つ互いに重ならないように所定間隔Ｂで並列した複数の第１〜第３下側横線材１０−１Ｌ〜１０−３Ｌとを溶接し、二層構造で形成されている。この下側の溶接金網４Ｌは、この第１実施例においては、上下方向で、第１〜第５下側縦線材８−１Ｌ〜８−５Ｌの上端部１２−１Ｌ〜１２−５Ｌが同一の位置Ｐ３で、且つ、第１〜第５下側縦線材８−１Ｌ〜８−５Ｌの下端部１４−１Ｌ〜１４−５Ｌの各端面が同一の位置Ｐ４である。
【００１２】
連結部材６は、図１に示す如く、例えば、一枚の板材１６に、隣接する上側の溶接金網４Ｕの各上側縦線材８Ｕの各下端部１４Ｕと下側の溶接金網４Ｌの各下側縦線材８Ｌの各上端部１２Ｌ同士を係合連結する複数の例えば第１〜第５係合部１８−１〜１８−５を備えている。
【００１３】
この第１実施例において、図１に示す如く、第１〜第５係合部１８−１〜１８−５は、所定の間隔Ａで並列に配置され、上下方向に指向し且つ同一の位置Ｐ５に形成されている。この第１〜第５係合部１８−１〜１８−５は、例えば、上下方向で、板材１６の一面Ｆ１側で且つ上下方向全体の高さＨ１で半円形状に突出した第１〜第５一側半形部２０−１〜２０−５と、中間部位で、板材１６の他面Ｆ２側で且つ高さＨ２で半円形状に突出した第１〜第５他側半形部２２−１〜２２−５とによって構成され、この第１〜第５一側半形部２０−１〜２０−５と第１〜第５他側半形部２２−１〜２２−５とで第１〜第５挿入空間２４−１〜２４−５を形成している。
【００１４】
そして、これら第１〜第５係合部１８−１〜１８−５には、上方から上側の溶接金網４Ｕの第１〜第５上側縦線材８−１Ｕ〜８−５Ｕの下端部１４−１Ｕ〜１４−５Ｕが挿入して係合されるとともに、下方から下側の溶接金網４Ｌの第１〜第５下側縦線材８−１Ｌ〜８−５Ｌの上端部１２−１Ｌ〜１２−５Ｌが挿入して係合され、この第１〜第５上側縦線材８−１Ｕ〜８−５Ｕの下端部１４−１Ｕ〜１４−５Ｕと第１〜第５下側縦線材８−１Ｌ〜８−５Ｌの上端部１２−１Ｌ〜１２−５Ｌとが同一平面で且つ第１〜第５挿入空間２４−１〜２４−５内で同一位置Ｐ５で突き合わさって連結される（図２参照）。
【００１５】
次に、この第１実施例の作用を説明する。
【００１６】
複数の溶接金網４を連結して、例えば、擁壁の壁面構造の壁面材２を構成するにあっては、図３に示す如く、上側の溶接金網４Ｕと下側の溶接金網４Ｌとの間に連結部材６を介在し、そして、この連結部材６の第１〜第５係合部１８−１〜１８−５には、上方から上側の溶接金網４Ｕの第１〜第５上側縦線材８−１Ｕ〜８−５Ｕの下端部１４−１Ｕ〜１４−５Ｕを挿入して係合するとともに、下方から下側の溶接金網４Ｌの第１〜第５下側縦線材８−１Ｌ〜８−５Ｌの上端部１２−１Ｌ〜１２−５Ｌを挿入して係合し、この第１〜第５上側縦線材８−１Ｕ〜８−５Ｕの下端部１４−１Ｕ〜１４−５Ｕと第１〜第５下側縦線材８−１Ｌ〜８−５Ｌの上端部１２−１Ｌ〜１２−５Ｌとを同一平面で且つ第１〜第５挿入空間２４−１〜２４−５内で同一の位置Ｐ５で突き合わせて連結する（図２参照）。
【００１７】
この結果、隣接する各溶接金網４の各縦線材８の端部同士を係合連結する係合部１８が備えられた連結部材６を設け、隣接する各溶接金網４の各縦線材８の端部同士を連結部材６により係合連結して一体化するので、複数の溶接金網４を連結した金網構成体としての壁面材２全体の強度を向上することができるとともに、隣接する各溶接金網４の連結を簡単に行わせることができる。特に、金網構成体を擁壁の壁面構造の壁面材２として用いた場合に、各溶接金網４が一体化して壁面材２全体の強度が高く、よって、盛土作業のときに壁面材２に変形が生することがなく、盛土工程の進捗と共に、壁面全体に変形が生ずることがない。
【実施例２】
【００１８】
図４〜図６は、この発明の第２実施例を示すものである。
【００１９】
この第２実施例の特徴とするところは、以下の点にある。即ち、図６に示す如く、例えば、上側の溶接金網４Ｕの第２、第４上側縦線材８−２Ｕ、８−４Ｕの第２、第４上端部１２−２Ｕ、１２−４Ｕの各端面の位置Ｐ６が、第１、第３、第５上側縦線材８−１Ｕ、８−３Ｕ、８−５Ｕの第１、第３、第５上端部１２−１Ｕ、１２−３Ｕ、１２−５Ｕの各端面の位置Ｐ７よりも距離Ｇ１だけ短く、また、上側の溶接金網４Ｕの第２、第４上側縦線材８−２Ｕ、８−４Ｕの第２、第４下端部１４−２Ｕ、１４−４Ｕが第１、第３、第５上側縦線材８−１Ｕ、８−３Ｕ、８−５Ｕの第１、第３、第５下端部１４−１Ｕ、１４−３Ｕ、１４−５Ｕよりも距離Ｇ１だけ長く形成されている。また、下側の溶接金網４Ｌは、上側の溶接金網４Ｕと同様に形成されているので、ここでは、その説明を省略する。
【００２０】
そこで、連結部材６の第１〜第５係合部１８−１〜１８−５においては、第１、第３、第５係合部１８−１、１８−３、１８−５の第１、第３、第５他側半形部２２−１、２２−３、２２−５を上側の位置Ｐ８に形成するとともに、第２、第４係合部１８−２、１８−４の第２、第４他側半形部２２−２、２２−４を距離Ｇ２だけ下側の位置Ｐ９に形成する。
【００２１】
従って、第１〜第５係合部１８−１〜１８−５に、上方から上側の溶接金網４Ｕの第１〜第５上側縦線材８−１Ｕ〜８−５Ｕの下端部１４−１Ｕ〜１４−５Ｕを挿入して係合するとともに、下方から下側の溶接金網４Ｌの第１〜第５下側縦線材８−１Ｌ〜８−５Ｌの上端部１２−１Ｌ〜１２−５Ｌを挿入して係合したときに、第１、第３、第５上側縦線材８−１Ｕ、８−３Ｕ、８−５Ｕの下端部１４−１Ｕ、１４−３Ｕ、１４−５Ｕと第１、第３、第５下側縦線材８−１Ｌ、８−３Ｌ、８−５Ｌの上端部１２−１Ｌ、１２−３Ｌ、１２−５Ｌとが同一の平面で且つ位置Ｐ８で突き合わって連結されるとともに、第２、第４上側縦線材８−２Ｕ、８−４Ｕの下端部１４−２Ｕ、１４−４Ｕと第２、第４下側縦線材８−２Ｌ、８−４Ｌの上端部１２−２Ｌ、１２−４Ｌとが同一の平面で且つ位置Ｐ９で突き合わさて連結される。
【００２２】
この第２実施例の構成によれば、各溶接金網４の各縦線材８の各端部の長さが異なる場合でも、該各縦線材８の各端部を突き合わせて各溶接金網４を同一平面で且つ非同一位置で連結部材６によって連結することができる。
【実施例３】
【００２３】
図７は、この発明の第３実施例を示すものである。
【００２４】
この第３実施例の特徴とするところは、以下の点にある。即ち、上側の溶接金網４Ｕ及び下側の溶接金網４Ｌは、上記の第２実施例と同一の構造である。そして、連結部材６において、第１係合部１８−１は、板材１６の他面Ｆ２側に半円形状に突出した第１他側上半形部２２−１Ｕ及び第１他側下半形部２２−１Ｌとを備え、第２係合部１８−２は、板材１６の他面Ｆ２側に半円形状に突出した第２他側上半形部２２−２Ｕ及び第２他側下半形部２２−２Ｌとを備え、第３係合部１８−３は、板材１６の他面Ｆ２側に半円形状に突出した第３他側上半形部２２−３Ｕ及び第３他側下半形部２２−３Ｌとを備え、第４係合部１８−４は、板材１６の他面Ｆ２側に半円形状に突出した第４他側上半形部２２−４Ｕ及び第４他側下半形部２２−４Ｌとを備え、第５係合部１８−５は、板材１６の他面Ｆ２側に半円形状に突出した第５他側上半形部２２−５Ｕ及び第５他側下半形部２２−５Ｌとを備えている。
【００２５】
第１〜第５他側上半形部２２−１Ｕ〜２２−５Ｕは、板材１６の上側の同一の位置Ｐ１０に配設され、また、第１〜第５他側下半形部２２−１Ｌ〜２２−５Ｌは、位置Ｐ１０よりも距離Ｇ３だけ下側の同一の位置Ｐ１１に配設されている。
【００２６】
そして、各溶接金網４の連結の際には、上側の溶接金網４Ｕの第１〜第５上側縦線材８−１Ｕ〜８−５Ｕの下端部１４−１Ｕ〜１４−５Ｕを第１〜第５係合部１８−１〜１８−５の上方から係合するとともに、下側の溶接金網４Ｌの第１〜第５下側縦線材８−１Ｌ〜８−５Ｌの上端部１２−１Ｕ〜１２−５Ｕを第１〜第５係合部１８−１〜１８−５の下方から係合する。
【００２７】
この第３実施例の構成によれば、各係合部１８において上下方向に他側上半形部２２Ｕ及び他側下半部２２Ｌが存在することから、各縦線材８の各端部の長さが異なる場合にでも対処することができるとともに、各縦線材８の各端部が突き合わされて各係合部１８に確実に且つ堅固に係合される。
【実施例４】
【００２８】
図８は、この発明の第４実施例を示すものである。
【００２９】
この第４実施例の特徴とするところは、以下の点にある。即ち、上側の溶接金網４Ｕは、複数の例えば第１〜第３上側縦線材８−１Ｕ〜８−３Ｕと、この第１〜第３上側縦線材８−１Ｕ〜８−３Ｕの一側に横方向に指向し且つ互いに重ならないように並列した複数の例えば第１〜第３上側横線材１０−１Ｕ〜１０−３Ｕとを溶接し、二層構造で形成されている。一方、下側の溶接金網４Ｌは、複数の例えば第１〜第２下側縦線材８−１Ｌ〜８−２Ｌと、この第１〜第２下側縦線材８−１Ｌ〜８−２Ｌの他側に横方向に指向し且つ互いに重ならないように並列した複数の例えば第１〜第３下側横線材１０−１Ｌ〜１０−３Ｌとを溶接し、二層構造で形成されている。
【００３０】
従って、上側の溶接金網４Ｕの第１〜第３上側縦線材８−１Ｕ〜８−３Ｕと下側の溶接金網４Ｌの第１〜第２下側縦線材８−１Ｌ〜８−２Ｌとは、同一の平面には位置しないものである。
【００３１】
そして、連結部材６においては、第１、第３、第５係合部１８−１、１８−３、１８−５は、上下方向で、板材１６の一面Ｆ１側に円形状に突出した第１、第３、第５円形部２６−１、２６−３、２６−５によって構成され、この第１、第３、第５円形部２６−１、２６−３、２６−５が第１、第３、第５挿入空間２４−１、２４−３、２４−５を形成し、また、第２、第４係合部１８−２、１８−４は、板材１６の他面Ｆ２側に円形状に突出した第２、第４円形部２６−２、２６−４によって構成され、この第２、第４円形部２６−２、２６−４が第２、第４挿入空間２４−２、２４−４を形成している。
【００３２】
この第４実施例の構成によれば、上側の溶接金網４Ｕの第１〜第３上側縦線材８−１Ｕ〜８−３Ｕと下側の溶接金網４Ｌの第１〜第２下側縦線材８−１Ｌ〜８−２Ｌとが同一の平面に位置しない場合にでも対処することができるとともに、一つの係合部１８に、各縦線材８の各端部全体を挿入させて、各縦線材８の各端部の支持状態が堅固になるとともに、板材１６のいずれか一方の面側にのみ各係合部１８を突出形成するだけなので、各係合部１８の形成を容易にすることができる。
【実施例５】
【００３３】
図９は、この発明の第５実施例を示すものである。
【００３４】
この第５実施例の特徴とするところは、以下の点にある。即ち、連結部材６は、上側材２８と下側材３０と中間材３２とで断面Ｃ字形状に形成されている。上側材２８及び下側材３０には、第１係合部１８−１を構成するように第１上側挿入孔３４−１Ｕ及び第１下側挿入孔３４−１Ｌが形成され、第２係合部１８−２を構成するように第２上側挿入孔３４−２Ｕ及び第２下側挿入孔３４−２Ｌが形成され、第３係合部１８−３を構成するように第３上側挿入孔３４−３Ｕ及び第３下側挿入孔３４−３Ｌが形成され、第４係合部１８−４を構成するように第４上側挿入孔３４−４Ｕ及び第４下側挿入孔３４−４Ｌが形成され、第５係合部１８−５を構成するように第５上側挿入孔３４−５Ｕ及び第５下側挿入孔３４−５Ｌが形成され、第６係合部１８−６を構成するように第６上側挿入孔３４−６Ｕ及び第６下側挿入孔３４−６Ｌが形成されている。
【００３５】
そして、上側の溶接金網４Ｕと下側の溶接金網４Ｌとを連結する際には、上側の溶接金網４Ｕの第１、第２、第３上側縦線材８−１Ｕ、８−２Ｕ、８−３Ｕの第１、第２、第３下端部１４−１Ｕ、１４−２Ｕ、１４−３Ｕを第１、第３、第５係合部１８−１、１８−３、１８−５に係合するとともに、下側の溶接金網４Ｌの第１、第２、第３下側縦線材８−１Ｌ、８−２Ｌ、８−３Ｌの第１、第２、第３上端部１２−１Ｌ、１２−２Ｌ、１２−３Ｌを第２、第４、第６係合部１８−２、１８−４、１８−６に係合する。
【００３６】
この第５実施例の構成によれば、上側の溶接金網４Ｕの第１、第２、第３上側縦線材８−１Ｕ、８−２Ｕ、８−３Ｕを第１、第３、第５係合部１８−１、１８−３、１８−５に係合するとともに、下側の溶接金網４Ｌの第１、第２、第３下側縦線材８−１Ｌ、８−２Ｌ、８−３Ｌを第２、第４、第６係合部１８−２、１８−４、１８−６に係合することにより、上側の溶接金網４Ｕと下側の溶接金網４Ｌを堅固に連結することができる。
【実施例６】
【００３７】
図１０は、この発明の第６実施例を示すものである。
【００３８】
この第６実施例の特徴とするところは、以下の点にある。即ち、上側の溶接金網４Ｕの第１、第３上側縦線材８−１Ｕ、８−３Ｕの第１、第３下端部１４−１Ｕ、１４−３Ｕが第２、第４上側縦線材８−２Ｕ、８−４Ｕの第２、第４下端部１４−２Ｕ、１４−４Ｕよりも長く形成され、下側の溶接金網４Ｌの第１、第３下側縦線材８−１Ｌ、８−３Ｌの第１、第３上端部１２−１Ｌ、１２−３Ｌが第２、第４下側縦線材８−２Ｌ、８−４Ｌの第２、第４上端部１２−２Ｌ、１２−４Ｌよりも長く形成されている。
【００３９】
連結部材６は、上側板３６と下側板３８とを備えている。連結部材６においては、第１〜第４係合部１８−１〜１８−４を構成するように、上側板３６に、第１〜第４上側挿入孔４０−１Ｕ〜４０−４Ｕが形成されているとともに、第１上側挿入孔４０−１Ｕの図１０の左側に第１上側補助孔４２−１Ｕが形成され、第３上側挿入孔４０−３Ｕの図１０の左側に第２上側補助孔４２−２Ｕが形成され、また、下側板３８には、第１〜第４下側挿入孔４０−１Ｌ〜４０−４Ｌが形成されているとともに、第１下側挿入孔４０−１Ｌの図１０の右側に第１下側補助孔４２−１Ｌが形成され、第３下側挿入孔４０−３Ｌの図１０の右側に第２下側補助孔４２−２Ｌが形成されている。
【００４０】
この場合、上側の溶接金網４Ｕの第１、第３上側縦線材８−１Ｕ、８−３Ｕの第１、第３下端部１４−１Ｕ、１４−３Ｕが第１、第２下側補助孔４２−１Ｌ、４２−２Ｌに挿入するとともに、第２、第４上側縦線材８−２Ｕ、８−４Ｕの第２、第４下端部１４−２Ｕ、１４−４Ｕが下側板３８の上面に接し、また、第１、第３下側縦線材８−１Ｌ、８−３Ｌの第１、第３上端部１２−１Ｌ、１２−３Ｌが第１、第２上側補助孔４２−１Ｕ、４２−２Ｕに挿入するとともに、下側の溶接金網４Ｌの第２、第４下側縦線材８−２Ｌ、８−４Ｌの第２、第４上端部１２−２Ｌ、１２−４Ｌが上側板３６の下面に接する。
【００４１】
この第６実施例の構成によれば、上側の溶接金網４Ｕの各縦線材８Ｕの下端部１４Ｕが、上側板３６を経て下側板３６に貫通したり、上面に接するとともに、下側の溶接金網４Ｌの各縦線材８Ｌの上端部１２Ｌが、下側板３８を経て上側板３６に貫通したり、下面に接することから、上側の溶接金網４Ｕと下側の溶接金網４Ｌとを堅固に連結することができる。
【実施例７】
【００４２】
図１１は、この発明の第７実施例を示すものである。
【００４３】
この第７実施例の特徴とするところは、以下の点にある。即ち、上側の溶接金網４Ｕ及び下側の溶接金網４Ｌは、上述の第６実施例と同様に構成されている。
【００４４】
連結部材６は、上側板３６と下側板３８とを備えている。連結部材６においては、第１〜第４係合部１８−１〜１８−４を構成するように、上側板３６に、第１〜第４上側挿入孔４０−１Ｕ〜４０−４Ｕが形成されているとともに、第２上側挿入孔４０−２Ｕの図１１の右側に第１上側補助孔４２−１Ｕが形成され、第４上側挿入孔４０−４Ｕの図１１の右側に第２上側補助孔４２−２Ｕが形成され、また、下側板３８には、第１〜第４上側挿入孔４０−１Ｕ〜４０−４Ｕに対応した第１〜第４下側挿入孔４０−１Ｌ〜４０−４Ｌが形成されているとともに、第２下側挿入孔４０−２Ｌの図１１の左側に第１下側補助孔４２−１Ｌが形成され、第４下側挿入孔４０−４Ｌの図１１の左側に第２下側補助孔４２−２Ｌが形成されている。
【００４５】
この場合、上側の溶接金網４Ｕの第１、第３上側縦線材８−１Ｕ、８−３Ｕの第１、第３下端部１４−１Ｕ、１４−３Ｕが第１、第２下側補助孔４２−１Ｌ、４２−２Ｌに挿入するとともに、第２、第４上側縦線材８−２Ｕ、８−４Ｕの第２、第４下端部１４−２Ｕ、１４−４Ｕが下側板３８の上面に接し、また、第３下側縦線材８−３Ｌの第３上端部１２−３Ｌが第１上側補助孔４２−１Ｕに挿入するとともに、下側の溶接金網４Ｌの第４下側縦線材８−４Ｌの第４上端部１２−４Ｌが上側板３６の下面に接する。
【００４６】
この第７実施例の構成によれば、上側の溶接金網４Ｕの各上側縦線材８Ｕの各下端部１４Ｕが、上側板３６を経て下側板３６に貫通したり、上面に接するとともに、下側の溶接金網４Ｌの各下側縦線材８Ｌの上端部１２Ｌが、下側板３８を経て上側板３６に貫通したり、下面に接することから、上側の溶接金網４Ｕと下側の溶接金網４Ｌとを堅固に連結することができる。
【実施例８】
【００４７】
図１２、図１３は、この発明の第８実施例を示すものである。
【００４８】
この第８実施例の特徴とするところは、以下の点にある。即ち、上側の溶接金網４Ｕの各上側縦線材８Ｕと下側の溶接金網４Ｌの下側縦線材８Ｌとが同一平面に位置し、そして、第１上側縦線材８−１Ｕと第１下側縦線材８−１Ｌとを近接し、第２上側縦線材８−２Ｕと第２下側縦線材８−２Ｌとを近接し、第３上側縦線材８−３Ｕと第３下側縦線材８−３Ｌとを近接し、第４上側縦線材８−４Ｕと第４下側縦線材８−４Ｌとを近接し、同様に、順次に、各縦線材を近接して設け、さらに、これに各縦線材間には連結部材６として波形で板状の連結薄材４４を設ける。
【００４９】
つまり、第１上側縦線材８−１Ｕと第１下側縦線材８−１Ｌとの間では、波形で板状の連結薄材４４を第１上側縦線材８−１Ｕの一側から第１下側縦線材８−１Ｌの他側に配設し、また、第１下側縦線材８−１Ｌと第２上側縦線材８−２Ｕとの間では、連結薄材４４を一側に湾曲して一側湾曲部４４Ａを形成し、第２上側縦線材８−２Ｕと第２下側縦線材８−２Ｌとの間では、連結薄材４４を第２上側縦線材８−２Ｕの他側から第２下側縦線材８−２Ｌの一側に配設し、第２下側縦線材８−２Ｌと第３上側縦線材８−３Ｕとの間では、連結薄材４４を他側に湾曲して他側湾曲部４４Ｂを形成し、そして、同様に、連結薄材４４を所定に配設する。
【００５０】
この第８実施例の構成によれば、同一平面上の各上側縦線材８Ｕと各下側縦線材８Ｌとの間で波形で板状の連結薄材４４を設けたことから、各上側縦線材８Ｕと各下側縦線材８Ｌとの連結状態を堅固にするとともに、その構成を簡単とし、廉価とすることができる。
【実施例９】
【００５１】
図１４、図１５は、この発明の第９実施例を示すものである。
【００５２】
この第９実施例の特徴とするところは、以下の点にある。即ち、連結部材６においては、上側の第１連結具４６Ｕと下側の第２連結具４６Ｌとを備えている。第１連結具４６Ｕは、第１一側部４８Ｕと第１他側部５０Ｕと第１上側部５２Ｕとからなって断面逆Ｕ字形状で、下方に開放する第１空間５４Ｕを形成している。第１連結具４６Ｕは、所定の第１幅Ｗ１に形成されている。第１上側部５２Ｕには、第１上側挿入孔５６Ｕとこの第１上側挿入孔５６Ｕに隣接した上側補助挿入孔５８Ｕを備えている。第２連結具４６Ｌは、第２一側部４８Ｌと第２他側部５０Ｌと第２下側部５２Ｌとからなって断面Ｕ字形状で、上方に開放する第２空間５４Ｌを形成している。第２連結具４６Ｌは、第１連結具４６Ｕの第１幅Ｗ１よりも大きな第２幅Ｗ２に形成されている。第２下側部５２Ｌには、第１上側挿入孔５６Ｕに対応した第２下側挿入孔５６Ｌとこの第２下側挿入孔５６Ｌに隣接した下側補助挿入孔５８Ｌを備えている。図１５に示す如く、上側の第１連結具４６Ｕは、全体が下側の第２連結具４６Ｌの第２空間５４Ｌ内に配設される。
【００５３】
この第９実施例の構成によれば、図１５に示す如く、上側の第１連結具４６Ｕ全体が下側の第２連結具４６Ｌの第２空間５４Ｌ内に配設されると、上側の溶接金網４Ｕの上側縦線材８Ｕの各下端部１４Ｕが下側の下側補助挿入孔５８Ｌに挿入するとともに、下側の溶接金網４Ｌの上側縦線材８Ｌの各上端部１２Ｕが上側の上側補助挿入孔５８Ｕに挿入することで、上側の溶接金網４Ｕと下側の溶接金網４Ｌとの連結状態を堅固にすることができる。
【実施例１０】
【００５４】
図１６は、この発明の第１０実施例を示すものである。
【００５５】
この第１０実施例の特徴とするところは、以下の点にある。即ち、連結部材６においては、上記の第９実施例と略同様な構成であるが、上側の第１連結具４６Ｕと下側の第２連結具４６Ｌとが同一の幅Ｗに形成されている。そして、上側の第１連結具４６Ｕの第１一側部４８Ｕが下側の第２連結具４６Ｌの第２空間５４Ｌ内に配設されると、上側の第１連結具４６Ｕの第１他側部５０Ｕが下側の第２連結具４６Ｌの第２他側部５０Ｌの側方に配設される。
【００５６】
この第１０実施例の構成によれば、上側の第１連結具４６Ｕの第１一側部４８Ｕが下側の第２連結具４６Ｌの第２空間５４Ｌ内に配設されると、上側の第１連結具４６Ｕの第１他側部５０Ｕが下側の第２連結具４６Ｌの第２他側部５０Ｌの側方に配設され、上側の第１連結具４６Ｕの第１一側部４８Ｕと下側の第２連結具４６Ｌの第２一側部４８Ｌと下側の第２連結具４６Ｌの第２他側部５０Ｌと上側の第１連結具４６Ｕの第１他側部５０Ｕとが互いに並列になり、上側の溶接金網４Ｕと下側の溶接金網４Ｌとの連結状態を堅固にすることができる。
【実施例１１】
【００５７】
図１７は、この発明の第１１実施例を示すものである。
【００５８】
この第１１実施例の特徴とするところは、以下の点にある。即ち、連結部材６は、連結パイプ６０からなる。この連結パイプ６０は、挿入空間６２を有し、この挿入空間６２に上方から上側の溶接金網４Ｕの各上側縦線材８Ｕの下端部１４Ｕを挿入するとともに下方から下側の溶接金網４Ｌの各下側縦線材８Ｌの各上端部１２Ｌを挿入させ、各上側縦線材８Ｕの下端部１４Ｕと各下側縦線材８Ｌの上端部１２Ｌとを突き合わせて連結するものである。
【００５９】
この第１１実施例の構成によれば、連結部材６として連結パイプ６０を用いるだけなので、構成が簡単で、廉価とすることができる。
【実施例１２】
【００６０】
図１８は、この発明の第１２実施例を示すものである。
【００６１】
この第１２実施例の特徴とするところは、以下の点にある。即ち、連結部材６は、上側輪６４Ｕと下側輪６４Ｌと接続部６６とでＣ字形状に構成されている。上側輪６４Ｕには、上側挿入空間６８Ｕが形成されている。下側輪６４Ｌには、下側挿入空間６８Ｌが形成されている。この連結部材６は、上側挿入空間６８Ｕに上方から上側の溶接金網４Ｕの各縦線材８Ｕの下端部１４Ｕを挿入するとともに下側挿入空間６８Ｌに下方から下側の溶接金網４Ｌの各縦線材８Ｌの上端部１２Ｌを挿入させ、上側の縦線材８Ｕの端部と下側の縦線材８Ｌの端部とを突き合わせて連結するものである。
【００６２】
この第１２実施例の構成によれば、連結部材６の構成が簡単で、軽量で且つ廉価とすることができる。
【実施例１３】
【００６３】
図１９は、この発明の第１３実施例を示すものである。
【００６４】
この第１３実施例の特徴とするところは、以下の点にある。即ち、連結部材６は、上側板７０Ｕと下側板７０Ｌと接続部７２とで断面Ｃ字形状に構成されている。上側板７０Ｕには、上側挿入孔７４Ｕが形成されている。下側板７０Ｌには、下側挿入孔７４Ｌが形成されている。この連結部材６は、上側挿入孔７４Ｕに上方から上側の溶接金網４Ｕの縦線材８Ｕの下端部１４Ｕを挿入するとともに下側挿入孔７４Ｌに下方から下側の溶接金網４Ｌの縦線材８Ｌの上端部１２Ｌを挿入させ、上側の縦線材８Ｕの端部と下側の縦線材８Ｌの端部とを突き合わせて連結するものである。
【００６５】
この第１３実施例の構成によれば、連結部材６として断面Ｃ字形状ものを用いるだけなので、構成が簡単で、廉価とすることができる。
【実施例１４】
【００６６】
図２０〜２３は、この発明の第１４実施例を示すものである。
【００６７】
この第１４実施例の特徴とするところは、以下の点にある。即ち、図２０に示す如く、上側の溶接金網４Ｕにおいて、例えば、第２、第４上側縦線材８−２Ｕ、８−４Ｕは、第２、第４下端部１４−２Ｕ、１４−４Ｕが他側に第２、第４上側立上部７６−２Ｕ、７６−４Ｕで立ち上がって形成されるとともに、この第２、第４下端部１４−２Ｕ、１４−４Ｕの第２、第４先端部７８−２Ｕ、７８−４Ｕが第２、第４上側折曲部８０−２Ｕ、８０−４Ｕで折曲されて他の部位と平行に形成され、また、第１、第３、第５上側縦線材８−１Ｕ、８−３Ｕ、８−５Ｕの第１、第３、第５下端部１４−１Ｕ、１４−３Ｕ、１４−５Ｕの他側面には、第２、第４立上部７６−２Ｕ、７６−４Ｕのよりも端側で第１上側横線材８２−１Ｕが溶接されるとともに、第１〜第５上側縦線材８−１Ｕ〜８−５Ｕの第１〜第５下端部１４−１Ｕ〜１４−５Ｕの他側面には、第２、第４立上部７６−２Ｕ、７６−４Ｕの部位で第２上側横線材８２−２Ｕが溶接されている。
【００６８】
また、下側の溶接金網４Ｌにおいて、例えば、第１、第３、第５下側縦線材８−１Ｌ、８−３Ｌ、８−５Ｌは、第１、第３、第５上端部１２−１Ｌ、１２−３Ｌ、１２−５Ｌが一側に第１、第３、第５立下部７６−１Ｌ、７６−３Ｌ、７６−５Ｌで立ち下がって形成されるとともに、この第１、第３、第５上端部１２−１Ｌ、１２−３Ｌ、１２−５Ｌの第１、第３、第５先端部７８−１Ｌ、７８−３Ｌ、７８−５Ｌが第１、第３、第５下側折曲部８０−１Ｌ、８０−３Ｌ、８０−５Ｌで折曲されて平行に形成され、また、第２、第４下側縦線材８−２Ｌ、８−４Ｌの第２、第４上端部１２−２、１２−４の他側面には、第１、第３、第５立下部７６−１Ｌ、７６−３Ｌ、７６−５Ｌよりも端側で第１下側横線材８２−１Ｌが溶接されるとともに、第１〜第５下側縦線材８−１Ｌ〜８−５Ｌの第１〜第５上端部１２−１Ｌ〜１２−５Ｌの他側面には、第２、第４立下部７６−２Ｕ、７６−４Ｌの部位で第２下側横線材８２−２Ｌが溶接されている。
【００６９】
この第１４実施例の構成によれば、上側の溶接金網４Ｕと下側の溶接金網４Ｌとを連結するときには、図２１〜図２３に示す如く、上側の溶接金網４Ｕの第２、第４上側縦線材８−２Ｕ、８−４Ｕの第２、第４下端部１４−２Ｕ、１４−４Ｕの第２、第４先端部７８−２Ｕ、７８−４Ｕが、第２下側横線材７８−２Ｌの上面に位置するとともに、下側の溶接金網４Ｌの第１、第３、第５下側縦線材８−１Ｌ、８−３Ｌ、８−５Ｌの第１、第３、第５上端部１２−１Ｌ、１２−３Ｌ、１２−５Ｌの第１、第３、第５先端部７８−１Ｌ、７８−３Ｌ、７８−５Ｌが、第２上側横線材７８−１Ｕの下面に位置するように、各上側縦線材８Ｕの各下端部１４Ｕと各下側縦線材８Ｌの各上端部１４Ｌとを組み付ける。これにより、各上側縦線材８Ｕの各下端部１４Ｕと各下側縦線材８Ｌの各上端部１４Ｌとを組み付けるだけで、上側の溶接金網４Ｕと下側の溶接金網４Ｌとの連結状態を堅固にすることができる。
【実施例１５】
【００７０】
図２４〜２６は、この発明の第１５実施例を示すものである。
【００７１】
この第１５実施例の特徴とするところは、以下の点にある。即ち、図２４に示す如く、上側の溶接金網４Ｕ及び下側の溶接金網４Ｌは、上記の第１４実施例と略同様な構成である。この場合に、第１〜第５上側縦線材８−１Ｕ〜８−５Ｕの第１〜第５下端部１４−１Ｕ〜１４−５Ｕの他側面には、第２、第４立上部７６−２Ｕ、７６−４Ｕの部位で第１上側横線材８２−１Ｕが溶接されるとともに、この第１上側横線材８２−１Ｕから少し離間した位置で第２上側横線材８２−２Ｕが溶接されている。また、第１〜第５下側縦線材８−１Ｌ〜８−５Ｌの第１〜第５上端部１２−１Ｕ〜１２−５Ｕの他側面には、第１、第３、第５立下部７６−１Ｌ、７６−３Ｌ、７６−５Ｌの部位で第１下側横線材８２−１Ｌが溶接されるとともに、この第１下側横線材８２−１Ｌから少し離間した位置で第２下側横線材８２−２Ｌが溶接されている。
【００７２】
そして、上側の溶接金網４Ｕと下側の溶接金網４Ｌとを連結する際には、上側の溶接金網４Ｕと下側の溶接金網４Ｌとの間に連結部材６として板状の介在体８４を設け、そして、図２５、図２６に示す如く、この介在体８４を、一側から上側の溶接金網４Ｕの各上側縦線材８Ｕの各下端部１２Ｕ及び下側の溶接金網４Ｌの各下側縦線材８Ｌの各上端部１２Ｌの各先端部７８Ｌと、他側から上側の溶接金網４Ｕの各下端部１２Ｕの各先端部７８Ｕ及び下側縦線材８Ｌの各上端部１２Ｌとによって挟持する。
【００７３】
この第１５実施例の構成によれば、この介在体８４を、一側から上側の溶接金網４Ｕの各上側縦線材８Ｕの各下端部１２Ｕ及び下側の溶接金網４Ｌの各下側縦線材８Ｌの各上端部１２Ｌの各先端部７８Ｌと、他側から上側の溶接金網４Ｕの各下端部１２Ｕの各先端部７８Ｕ及び下側縦線材８Ｌの各上端部１２Ｌとによって挟持することから、上側の溶接金網４Ｕと下側の溶接金網４Ｌとの連結状態を堅固にすることができる。
【産業上の利用可能性】
【００７４】
複数の溶接金網を連結する連結部材を、溶接金網に限られず、他の物の連結にも適用させることができる。
【図面の簡単な説明】
【００７５】
【図１】第１実施例において連結部材の斜視図である。
【図２】第１実施例において各縦線材を連結した説明図である。
【図３】第１実施例において各溶接金網を連結するときの斜視図である。
【図４】第２実施例において連結部材の斜視図である。
【図５】第２実施例において各縦線材を連結した説明図である。
【図６】第２実施例において各溶接金網を連結するときの斜視図である。
【図７】第３実施例において各溶接金網を連結するときの斜視図である。
【図８】第４実施例において各溶接金網を連結するときの斜視図である。
【図９】第５実施例において各溶接金網を連結するときの斜視図である。
【図１０】第６実施例において各溶接金網を連結するときの斜視図である。
【図１１】第７実施例において各溶接金網を連結するときの斜視図である。
【図１２】第８実施例において各溶接金網を連結するときの概略平面図である。
【図１３】第８実施例において各溶接金網を連結するときの概略正面図である。
【図１４】第９実施例において各溶接金網を連結するときの斜視図である。
【図１５】第９実施例において各溶接金網を連結したときの側面図である。
【図１６】第１０実施例において各溶接金網を連結したときの側面図である。
【図１７】第１１実施例において各溶接金網を連結するときの斜視図である。
【図１８】第１２実施例において各溶接金網を連結するときの斜視図である。
【図１９】第１３実施例において各溶接金網を連結するときの斜視図である。
【図２０】第１４実施例において各溶接金網を連結するときの斜視図である。
【図２１】第１４実施例において各溶接金網を連結したときの平面図である。
【図２２】第１４実施例において図２１のＸＸＩＩ−ＸＸＩＩ線による各溶接金網を連結したときの上側の縦線材の側面図である。
【図２３】第１４実施例において図２１のＸＸＩＩＩ−ＸＸＩＩＩ線による各溶接金網を連結したときの下側の縦線材の側面図である。
【図２４】第１５実施例において各溶接金網を連結するときの斜視図である。
【図２５】第１５実施例において各溶接金網を連結したときの平面図である。
【図２６】第１５実施例において図２５の矢印ＸＸＶＩによる各溶接金網を連結したときの側面図である。
【符号の説明】
【００７６】
２  壁面材
４  溶接金網
６  連結部材
８  縦線材
１０  横線材
１６  板材
１８  係合部
【図１】
2005155132.tif 000003
【図２】
2005155132.tif 000004
【図３】
2005155132.tif 000005
【図４】
2005155132.tif 000006
【図５】
2005155132.tif 000007
【図６】
2005155132.tif 000008
【図７】
2005155132.tif 000009
【図８】
2005155132.tif 000010
【図９】
2005155132.tif 000011
【図１０】
2005155132.tif 000012
【図１１】
2005155132.tif 000013
【図１２】
2005155132.tif 000014
【図１３】
2005155132.tif 000015
【図１４】
2005155132.tif 000016
【図１５】
2005155132.tif 000017
【図１６】
2005155132.tif 000018
【図１７】
2005155132.tif 000019
【図１８】
2005155132.tif 000020
【図１９】
2005155132.tif 000021
【図２０】
2005155132.tif 000022
【図２１】
2005155132.tif 000023
【図２２】
2005155132.tif 000024
【図２３】
2005155132.tif 000025
【図２４】
2005155132.tif 000026
【図２５】
2005155132.tif 000027
【図２６】
2005155132.tif 000028